(57)【要約】【課題】ひもの緊緩の調節の操作が容易な装置の提供。【解決手段】ひも調節装置は、調節部材（１）と、取付座（２）と、ひもを巻き付けるためのひも巻き部材（３）とを有し、調節部材（１）は、取付座（２）と回動可能に接続され、相対的に固定されるとともに同軸に設置される駆動部（４）と協働部（５）とを備え、取付座（２）に、協働部（５）に対応するとともに協働部（５）の回動方向を制限する回動制限部（６）が設けられ、ひも巻き部材（３）が取付座（２）と回動可能に接続され、ひも巻き部材（３）に、駆動部（４）と伝動可能に接続される従動部（７）が設置され、駆動部（４）と従動部（７）の両方の回転軸線が同一線にある。調節部材（１）を回転させるだけで、ひもを締めることができる。【選択図】図２
2021518787.tif 000002
【特許請求の範囲】
【請求項１】
調節部材と、取付座と、ひもを巻き付けるためのひも巻き部材とを有し、
前記調節部材は、前記取付座と回動可能に接続され、相対的に固定されるとともに同軸に設置される駆動部と協働部とを備え、
前記取付座に、前記協働部に対応するとともに前記協働部の回動方向を制限する回動制限部が設けられ、前記協働部の回動方向と前記ひも巻き部材のひもを締める方向とが一致し、
前記ひも巻き部材は、前記取付座と回動可能に接続され、前記ひも巻き部材に、前記駆動部と伝動可能に接続される従動部が設置され、前記駆動部と前記従動部の両方の回転軸線が同一線にある
ことを特徴とするひも調節装置。
【請求項２】
前記調節部材は、ハウジングをさらに備え、
前記駆動部と前記協働部が前記ハウジングの内部に設置される
ことを特徴とする請求項１に記載のひも調節装置。
【請求項３】
前記ハウジング、前記駆動部及び前記協働部の三方は一体成形されることを特徴とする請求項２に記載のひも調節装置。
【請求項４】
前記駆動部が外歯リングギアを含み、前記協働部が内歯ラチェットリングを含み、前記従動部が内歯リングギアを含み、前記回動制限部がディテントを含み、
前記外歯リングギアの歯先円の半径が前記内歯ラチェットリングの歯先円の半径より小さい
ことを特徴とする請求項１に記載のひも調節装置。
【請求項５】
前記ひも巻き部材に、前記従動部の回転軸線に位置する挿着具が設けられ、前記調節部材に、前記挿着具を取り付ける挿着孔が設けられ、前記挿着具と前記従動部がともに前記ひも巻き部材の正面に位置し、
前記挿着具は、前記挿着孔内に挿入され摺動可能に接続されるとともに、常に前記挿着孔と回動可能に接続され、
前記挿着具と前記挿着孔との相対的な摺動により、前記協働部と前記回動制限部との結合及び分離を実現する
ことを特徴とする請求項１に記載のひも調節装置。
【請求項６】
前記挿着具は、いくつの弾力性を有する挿入脚を含み、前記挿入脚に強度を高めるための金属弾性片が設置されることを特徴とする請求項５に記載のひも調節装置。
【請求項７】
前記取付座に、前記ひも巻き部材を取り付けるための取付孔が設けられ、前記ひも巻き部材が前記取付孔内に挿入されて前記取付孔に対して回動可能に接続され、
前記取付座に、前記ひも巻き部材の可動範囲を制限して前記取付孔からの脱離を防止するように構成される位置制限部がさらに設けられる
ことを特徴とする請求項１に記載のひも調節装置。
【請求項８】
前記取付座の側壁に、前記取付孔と連通するいくつのひも進入孔が設けられ、
前記ひも巻き部材の側壁に、ひもを巻き付けるためのひも溝が設けられ、前記ひも溝内に、前記ひも進入孔と１対１で対応するひも通し孔が設けられ、
前記ひも通し孔が前記取付孔と連通する
ことを特徴とする請求項７に記載のひも調節装置。
【請求項９】
前記ひも巻き部材の内部に、前記ひも通し孔と連通する挿通孔が設けられ、
前記ひもの前端の可動範囲を制限して前記ひも通し孔から抜け出させないように、ひもの前端を前記挿通孔から引き出して結ぶ
ことを特徴とする請求項８に記載のひも調節装置。
【請求項１０】
請求項１〜９のいずれか１項に記載のひも調節装置を備えることを特徴とするひも調節装置を備える製品。
【発明の詳細な説明】
【技術分野】
【０００１】
関係出願の相互参照
本出願は、２０１８年１１月２０日に中国専利局に提出された、出願番号がＣＮ２０１８１１３８０４２７．３であり、名称が「ひも調節装置及び該ひも調節装置を備える製品」である中国出願に基づいて優先権を主張し、その全ての内容が、参照により本出願に組み込まれる。
本出願は、日用品の技術分野に属し、殊に、ひも調節装置及び該ひも調節装置を備える製品に関する。
【背景技術】
【０００２】
靴、衣服及び医療用ガード用品等の製品にひもが設けられ、ひもの緊緩を調節することなどにより固定の目的を果たしている。
従来、人々が、両手でひもの両端をそれぞれ引っ張ることによって緊緩を調節し、そして、結ぶことによってひもを固定していた。
結ぶことに両手を使わなければならないとともに、結びの緊緩の度合いも保証できない。人々が外出するとき、運動等でひもが緩むことがあり、このとき、結び直しなければならない。
結ぶことに時間がかかり、靴ひもの場合、腰を曲げなければ結べない。しかし、人通りが激しい場合、ひも結びの操作が全くできず、靴のかかとが踏まれて靴が外される可能性がある。
【発明の概要】
【発明が解決しようとする課題】
【０００３】
本出願は、従来技術における欠陥を克服し、従来技術における問題を解決するためのひも調節装置及び該ひも調節装置を備える製品を提供することを目的とする。
【課題を解決するための手段】
【０００４】
上記の問題を解決するため、本出願に係るひも調節装置は、調節部材と、取付座と、ひもを巻き付けるためのひも巻き部材とを有し、
前記調節部材は、前記取付座と回動可能に接続され、相対的に固定されるとともに同軸に設置される駆動部と協働部とを備え、
前記取付座に、前記協働部に対応するとともに前記協働部の回動方向を制限する回動制限部が設けられ、前記協働部の回動方向と前記ひも巻き部材のひもを締める方向とが一致し、
前記ひも巻き部材は、前記取付座と回動可能に接続され、前記ひも巻き部材に、前記駆動部と伝動可能に接続される従動部が設置され、前記駆動部と前記従動部の両方の回転軸線が同一線にある。
【０００５】
上記の技術案の更なる改良として、前記調節部材は、ハウジングをさらに備え、
前記駆動部と前記協働部が前記ハウジングの内部に設置される。
【０００６】
上記の技術案の更なる改良として、前記ハウジング、前記駆動部及び前記協働部の三方は一体成形される。
【０００７】
上記の技術案の更なる改良として、前記駆動部が外歯リングギアを含み、前記協働部が内歯ラチェットリングを含み、前記従動部が内歯リングギアを含み、前記回動制限部がディテントを含み、
前記外歯リングギアの歯先円の半径が前記内歯ラチェットリングの歯先円の半径より小さい。
【０００８】
上記の技術案の更なる改良として、前記ひも巻き部材に、前記従動部の回転軸線に位置する挿着具が設けられ、前記調節部材に、前記挿着具を取り付ける挿着孔が設けられ、前記挿着具と前記従動部がともに前記ひも巻き部材の正面に位置し、
前記挿着具は、前記挿着孔内に挿入され摺動可能に接続されるとともに、常に前記挿着孔と回動可能に接続され、
前記挿着具と前記挿着孔との相対的な摺動により、前記協働部と前記回動制限部との結合及び分離を実現する。
【０００９】
上記の技術案の更なる改良として、前記挿着具は、いくつの弾力性を有する挿入脚を含み、前記挿入脚に強度を高めるための金属弾性片が設置される。
【００１０】
上記の技術案の更なる改良として、前記取付座に、前記ひも巻き部材を取り付けるための取付孔が設けられ、前記ひも巻き部材が前記取付孔内に挿入されて前記取付孔に対して回動可能に接続され、
前記取付座に、前記ひも巻き部材の可動範囲を制限して前記取付孔からの脱離を防止するように構成される位置制限部がさらに設けられる。
【００１１】
上記の技術案の更なる改良として、前記取付座の側壁に、前記取付孔と連通するいくつのひも進入孔が設けられ、
前記ひも巻き部材の側壁に、ひもを巻き付けるためのひも溝が設けられ、前記ひも溝内に、前記ひも進入孔と１対１で対応するひも通し孔が設けられ、
前記ひも通し孔が前記取付孔と連通する。
【００１２】
上記の技術案の更なる改良として、前記ひも巻き部材の内部に、前記ひも通し孔と連通する挿通孔が設けられ、ひもの前端の可動範囲を制限して前記ひも通し孔から抜け出させないように、ひもの前端を前記挿通孔から引き出して結ぶ。
【００１３】
本出願は、上記のいずれか１種のひも調節装置を備える製品をさらに提供する。
【００１４】
本出願の有益効果として、本出願に係るひも調節装置は、調節部材と、取付座と、ひもを巻き付けるためのひも巻き部材とを有し、取付座が靴等の製品に取り付けられることができ、調節部材を回転させてひも巻き部材の回動を駆動することにより、ひもを締めることができる。該ひも調節装置は、構成が簡単で、操作が容易である。
【００１５】
本出願における実施例の技術案をより明瞭に説明するため、以下、実施例に必要な図面を簡単に説明する。説明する図面は、本出願のいくつの実施例を示すものにすぎず、範囲に対する限定ではない。当業者は、発明能力を用いなくても、これらの図面に基づいて他の関連図面を得ることが可能である。
【図面の簡単な説明】
【００１６】
【図１】本出願における実施例によるひも調節装置の模式図である。
【図２】本出願における実施例によるひも調節装置の模式的分解図である。
【図３】本出願における実施例による調節部材の模式図である。
【図４】本出願における実施例によるハウジングとハウジングカバーの模式的分解図である。
【図５】本出願における実施例による取付座の第１の斜視図である。
【図６】本出願における実施例による取付座の第２の斜視図である。
【図７】本出願における実施例によるひも巻き部材の第１の斜視図である。
【図８】本出願における実施例によるひも巻き部材の第２の斜視図である。
【図９】本出願における実施例による金属弾性片の模式図である。
【図１０】本出願における実施例による、取付座とひも巻き部材によるひも通し、結びの模式図である。
【発明を実施するための形態】
【００１７】
以下、本出願に係る各種の実施例をより全面的に説明する。本出願は、各種の実施例を有することが可能であるとともに、それを調整したり変更したりすることができる。なお、本出願に係る各種の実施例は、ここで開示した特定の実施例に限定されず、本出願に係る各種の実施例の精神及び範囲内に属するすべての調整、均等置換及び／又は選択可能な案を含む。
【００１８】
以下、本出願に係る各種の実施例に使用される用語である「含む」又は「含むことができる」は、開示した機能、操作又は素子の存在を表すものであり、１つ又はより多くの機能、操作又は素子の追加を制限しない。また、本出願に係る各種の実施例に使用されたものように、用語である「含む」、「有する」及びそれと同意味のものは、特定の特徴、数字、ステップ、操作、素子、部品又は上記の要素の組み合わせの存在を特定しており、１つ又はより多くの他の特徴、数字、ステップ、操作、素子、部品又は上記の要素の組み合わせの存在又は追加の可能性を除外しないと理解すべきである。
【００１９】
本出願に係る各種の実施例において、「Ａ及び／又はＢ」で表せる場合、前後のものの任意の組み合わせ又はすべての組み合わせを含み、例えば、Ａを含んでもよく、Ｂを含んでもよく、又はＡとＢの両方を含んでもよい。
【００２０】
本出願に係る各種の実施例に使用される表現（例えば「第１」又は「第２」等）は、各種の実施例における各種の構成素子を修飾するものであり、該当構成素子を限定するものではない。例えば、上記の表現は、上記の素子の順序及び／又は重要性を限定するものではない。上記の表現は、１つの素子と他の素子とを区別するためのものだけである。例えば、第１のユーザ装置と第２のユーザ装置は、両方ともユーザ装置であるが、それぞれ異なるユーザ装置を表している。例えば、本出願に係る各種の実施例の範囲から逸脱しない限り、第１素子を第２素子と称してもよく、同様に、第２素子を第１素子と称してもよい。
【００２１】
本出願において、明確な規定や定義がない限り、「取付」、「接続」又は「固定」等の用語を、広義的に理解すべきである。直接に接続してもよいし、中間物を介して間接に接続してもよいし、２つの素子の内部が連通してもよい。当業者は、本出願における上記用語の具体的な意味を、具体的な状況に応じて理解することができる。
【００２２】
本出願において、表される方向又は位置関係は、図面に基づくものであり、本出願を便宜及び簡略に説明するためのものにすぎず、該当装置又は素子が、必ずしも定められた方向を有したり、定められた方向に構成、操作されたり、することを明示又は暗示するものではないため、本出願を限定するものではないことが、当業者にとって自明のことである。
【００２３】
本出願に係る各種の実施例に使用される用語は、特定の実施例を説明するためのものにすぎず、本出願に係る各種の実施例を限定するものではない。特に断りがない限り、ここで使用されるすべての用語（技術的用語と科学的用語を含む）は、本出願に係る各種の実施例が属する分野の当業者が通常認識しているものと同一の意味を有する。上記の用語（例えば、通常使用される辞典に定義された用語）は、該当する技術分野における意味を有するように解釈されるべきであり、本出願に係る各種の実施例で明瞭に限定しない限り、理想化された意味又は過度に形式的な意味に解釈されるべきではない。
【００２４】
実施例１
図１と図２に示すように、本実施例によるひも調節装置は、調節部材１と、取付座２と、ひもを巻き付けるためのひも巻き部材３とを有する。調節部材１は、取付座２と回動可能に接続される。
【００２５】
図３に示すように、調節部材１は、相対的に固定されるとともに同軸に設置される駆動部４と協働部５とを備える。
【００２６】
駆動部４と協働部５が相対的に固定されるため、駆動部４が調節部材１に従って回動するとき、協働部５も同期して回動する。そして、調節部材１が取付座２に対して回動できるので、駆動部４と協働部５の両方の回転軸線も同一線にある。
【００２７】
図５に示すように、取付座２には、協働部５に対応するとともに協働部５の回動方向を制限する回動制限部６が設けられ、協働部５の回動方向とひも巻き部材３のひもを締める方向とが一致する。
【００２８】
ひも巻き部材３は、取付座２と回動可能に接続される。
【００２９】
図７に示すように、ひも巻き部材３には、駆動部４と伝動可能に接続される従動部７が設置され、駆動部４と従動部７の両方の回転軸線が同一線にある。
【００３０】
ユーザによる調節部材１の回動操作により、調節部材１における駆動部４がひも巻き部材３における従動部７を駆動し、ひも巻き部材３の回動をコントロールし、また、回動制限部６により協働部５の回動方向が制限されるため、調節部材１が一方向のみへ回動でき、ひもが緩むことを防止できる。
【００３１】
本実施例では、調節部材１は、ハウジング８をさらに備え、駆動部４と協働部５がハウジング８の内部に設置される。
【００３２】
ハウジング８、駆動部４及び協働部５の三方は一体成形することができる。具体的に、プラスチックを材料とし、射出成形でハウジング８、駆動部４及び協働部５の三方を一体成形することができる。他の具体的な実施例では、ダイカスト等の加工を用いてもよい。
【００３３】
図４に示すように、ハウジング８の上部に、ハウジング８を保護、装飾する役割を果たすハウジングカバー９が設置されてもよい。ハウジングカバー９とハウジング８とは、係合接続されてもよく、一体成形されてもよい。
【００３４】
本実施例では、調節部材１は、取付座２と回動可能に接続される。具体的に、ハウジング８における、駆動部４及び協働部５が設けられる内孔の内壁に、駆動部４の軸心線に対して環状にアレイ型に配列されるスナップフィット１０が複数設けられ、取付座２に、前記スナップフィット１０に対応するフランジ１１が設けられる。スナップフィット１０をフランジ１１に係合させ、スナップフィット１０とフランジ１１との係合により、調節部材１と取付座２との相対的な移動が制限される。つまり、調節部材１と取付座２とは、分離せず、相対的な回動だけが許されるようになる。
【００３５】
本実施例では、駆動部４が外歯リングギアを用い、協働部５が内歯ラチェットリングを用い、従動部７が内歯リングギアを用い、回動制限部６がディテントを用いることが可能である。
【００３６】
具体的に、複数設けられたディテントは、回動制限部６の回転軸線に対して環状にアレイ型に配列される。ディテントの数を増やすことにより、ディテントの内歯ラチェットリングに対する制限効果を向上、強化させることができるとともに、受けた力が各ディテントにより分散されるので、単独のディテントが設けられた場合のかけられる力の不均等による折れを防止することができる。
【００３７】
外歯リングギアと内歯リングギアとは、噛合することにより伝動接続を実現する。内歯ラチェットリングとディテントとが協働し、ディテントにより、一方向のみへ回動可能に内歯ラチェットリングの回動をコントロールできる。そして、調節部材１の回動方向も制限される。ディテントの制限により、ディテントが内歯ラチェットリングに当接する場合、ひもが緩むように調節部材１が逆方向へ回動することができなくなる。
【００３８】
本実施例では、外歯リングギアの歯先円の半径は、内歯ラチェットリングの歯先円の半径より小さい。
【００３９】
他の具体的な実施例では、駆動部４が内歯リングギアを用い、従動部７がそれと対応する外歯リングギアを用いるようにしてもよい。
【００４０】
図３と図７に示すように、ひも巻き部材３と調節部材１とを取り付けるため、ひも巻き部材３に、従動部７の回転軸線に位置する挿着具１２が設けられ、調節部材１に、挿着具１２を取り付ける挿着孔１３が設けられ、挿着具１２と従動部７がともにひも巻き部材３の正面に位置している。挿着孔１３は、駆動部４の軸心線に設けられている。
【００４１】
挿着具１２は、挿着孔１３内に挿入され摺動可能に接続されるとともに、常に挿着孔１３と回動可能に接続される。
【００４２】
挿着具１２と挿着孔１３との相対的な摺動により、協働部５と回動制限部６とを結合したり分離したりし、本実施例では、内歯ラチェットリングとディテントとの結合と分離を実現する。協働部５と回動制限部６とが結合された場合、調節部材１が一方向のみへ回動できる。協働部５と回動制限部６とが分離された場合、回動制限部６の制限が解除されたので、調節部材１が正逆に回動できる。このとき、ひもは、自由状態になり、ひも巻き部材３の回動に従って自由に伸長したり短縮したりすることができるので、ひもの緊緩の度合いをより容易に調節できる。
【００４３】
本実施例では、挿着具１２は、いくつの弾力性を有する挿入脚１４を含み、挿入脚１４に強度を高めるための金属弾性片１５が設置される。具体的に、挿入脚１４を２つ設け、金属弾性片１５をこの２つの挿入脚の間に取り付けることができる。
【００４４】
挿入脚１４は、挿着孔１３に挿入され、摺動、回動するので、損壊や折れ等が発生しやすい。２つの挿入脚１４に金属弾性片１５を直接に取り付けることにより、挿着具１２の強度及び使用寿命を効果的に向上させることができる。
【００４５】
図９に示すように、金属弾性片１５は、Ω状に形成される。金属弾性片１５は、係合又はねじ接続の方式により挿入脚１４に取り付けることができる。
【００４６】
使用する場合、ひもの緊緩の度合いをコントロールするために、協働部５と回動制限部６とを結合させており、ひもを緩めるときだけ協働部５と回動制限部６とを分離させる。振動又は大揺動に起因した協働部５と回動制限部６との分離によるひもの緩みを防止するため、挿入脚１４の外壁に突起を設け、挿着孔１３内に突起に対応する位置制限溝を設けることが可能である。突起と位置制限溝との係合により、挿着具１２と挿着孔１３との相対的な摺動を防止することができる。
【００４７】
突起が位置制限溝内に位置するとき、協働部５と回動制限部６とが結合状態になる。外力で調節部材１を引き抜いて突起を位置制限溝から抜け出すと、協働部５と回動制限部６とが分離になる。協働部５と回動制限部６とを結合させようとするとき、調節部材１のハウジングカバー９を押圧して、突起を位置制限溝内に係入させればよい。
【００４８】
ひも巻き部材３は、回動によりひもをそれに巻き付け、ひもの長さをコントロールするものである。図５と図６に示すように、取付座２に、ひも巻き部材３を取り付けるための取付孔１６が設けられ、ひも巻き部材３が取付孔１６内に挿入されて取付孔１６に対して回動可能に接続される。
【００４９】
図６と図８に示すように、ひも巻き部材３と取付孔１６との脱離を防止するため、取付座２に位置制限部２２が設けられる。ひも巻き部材３を取付孔１６内に挿入して取り付けたあと、ひも巻き部材３が取付孔１６から脱離しようとする傾向があるとき、位置制限部２２がひも巻き部材３の背面に当接し、ひも巻き部材３の活動範囲が制限され、取付孔１６内からの脱離が防止される。
【００５０】
位置制限部２２により、ひも巻き部材３の取り付け及び取り外しに一定の影響がある。図８に示すように、ひも巻き部材３の取り付け及び取り外しを容易にするため、ひも巻き部材３に位置制限部２２と１対１で対応する着脱溝２３が設けられ、着脱溝２３が位置制限部２２を通すように構成される。位置制限部２２と着脱溝２３とが位置合わせになったとき、取付孔１６に対してひも巻き部材３を挿入したり取り出したりすることができる。
【００５１】
調節部材１、取付座２及びひも巻き部材３を組み立てるとき、先に調節部材１と取付座２とを接続し、そして、ひも巻き部材３を取付孔１６内に配置し、挿着具１２を挿着孔１３内に挿入すればよい。
【００５２】
ひも調節装置にひもを容易に取り付けるため、取付座２の側壁に取付孔１６と連通するいくつのひも進入孔１７が設けられる。本実施例では、ひも進入孔１７の数は、２つや３つ等にすることができる。
【００５３】
図７に示すように、本実施例では、ひも巻き部材３の側壁に、ひもを巻き付けるためのひも溝１８が全周にわたって設けられる。ひも溝１８内に、ひも進入孔１７と１対１で対応するひも通し孔１９が設けられ、ひも通し孔１９が取付孔１６と連通する。
【００５４】
ひもの前端は、ひも進入孔１７と取付孔１６とを順に通ったあと、ひも通し孔１９内に進入し固定される。この場合、調節部材１を回動させると、駆動部４及び従動部７の作用でひも巻き部材３が回動し、ひもがひも溝１８内に巻き付けられる。
【００５５】
図８に示すように、ひもの前端に対する固定を容易にするため、ひも巻き部材３の内部に、ひも通し孔１９と連通する挿通孔２０が設けられるとともに、ひも巻き部材３の背面の中央に、挿通孔２０と連通する結び孔が設けられる。ひもの前端を挿通孔２０を経由して結び孔から引き出し、そしてひもの前端を結ぶ。ただし、ひもの前端の可動範囲が制限され、ひものひも通し孔１９からの脱離を防止するため、結び部の直径を挿通孔２０の直径よりも大きくする必要がある。よって、ひもの前端に対する固定作業が完了する。ひもを交換したり調節したりしようとするとき、ひも前端の結びを解けばよく、操作が簡単で容易である。
【００５６】
取付座２及びひも巻き部材３に、例えば矢印等の位置合わせするためのマークを設けてもよい。取付座２及びひも巻き部材３における矢印が位置合わせしたとき、取付座２におけるひも進入孔１７とひも巻き部材３におけるひも通し孔１９とが１対１で対応し、したがって、ひもを容易に挿入することができる。
【００５７】
図１０に示すように、ひも巻き部材３が取付座２に取り付けられたあと、ひもを挿入して結べば、ひもの前端に対する固定作業が完了する。
【００５８】
本実施例では、ひも調節装置は、構成が簡単で、部品数が少なく、着脱が容易であり、また、ひも緊緩の度合いの調節が、片手でできるので、操作が簡単で容易である。
【００５９】
他の具体的な実施例において、ひも調節装置に小さな電動機を増設し、該電動機により調節部材１の回動を駆動するようにしてもよい。電動機の駆動器に、例えばブルートゥース（登録商標）モジュールやｗｉｆｉモジュール等の無線通信モジュールを設置することができる。これによって、靴ひも緊緩の度合いの調節を携帯電話等の端末で簡単に実現させることができる。
【００６０】
本実施例では、ひも調節装置は、縫合部材２１をさらに有してもよい。縫合部材２１が取付座２に取り付けられ、縫合糸で縫合部材２１がひも調節装置を利用する製品に固定される。ひも調節装置におけるひもは、靴の両側等の位置に取り付けられるガイド部材内に挿設されている。調節部材１を調節してひもの伸縮長さをコントロールし、ひもでガイド部材を引っ張ることによって、緊緩の調節の目的を果たす。
【００６１】
本実施例では、上記のひも調節装置を備える製品をさらに提供する。具体的に、ひも調節装置は、靴、衣服及び医療用ガード用品等の製品に適用できる。
【００６２】
図面は、好ましい実施様態の模式図にすぎず、図面におけるモジュール又はプロセスが、本発明を実施するのに必須であるとは限らないと理解すべきである。
【００６３】
実施様態による装置におけるモジュールは、実施様態の説明に基づいて実施様態による装置に設置されてもよく、本実施様態と異なる１つ又は複数の装置に、対応に調整して設置されてもよい。上記の実施様態のモジュールは、１つのモジュールに統合されてもよく、複数のサブモジュールにさらに分けられてもよい。
【００６４】
上記の実施例の番号は、説明するためのものにすぎず、実施様態の優劣を表すものではない。
【００６５】
上記の開示は、本出願のいくつの具体的な実施様態にすぎない。本出願は、ここに限定されず、当業者が想到できる変化がいずれも本出願の保護範囲に属する。
【符号の説明】
【００６６】
１  調節部材、２  取付座、３  ひも巻き部材、４  駆動部、５  協働部、６  回動制限部、７  従動部、８  ハウジング、９  ハウジングカバー、１０  スナップフィット、１１  フランジ、１２  挿着具、１３  挿着孔、１４  挿入脚、１５  金属弾性片、１６  取付孔、１７  ひも進入孔、１８  ひも溝、１９  ひも通し孔、２０  挿通孔、２１  縫合部材、２２  位置制限部、２３  着脱溝。
【図１】
2021518787.tif 000003
【図２】
2021518787.tif 000004
【図３】
2021518787.tif 000005
【図４】
2021518787.tif 000006
【図５】
2021518787.tif 000007
【図６】
2021518787.tif 000008
【図７】
2021518787.tif 000009
【図８】
2021518787.tif 000010
【図９】
2021518787.tif 000011
【図１０】
2021518787.tif 000012
【国際調査報告】
2021518787.tif 000013
2021518787.tif 000014
2021518787.tif 000015
2021518787.tif 000016
2021518787.tif 000017
2021518787.tif 000018